(57)【要約】【課題】  操作キーとその操作回数とを必要最低限とすることで、片手の操作による文字入力を容易にすることを目的とする。【解決手段】  入力される文字が表示される文字入力領域を備え、前記文字入力領域への文字の入力時に、ひらがな及びカタカナのいずれか一方の文字群を、上位階層及び下位階層の少なくとも２つの階層を用いて表示する表示部と、前記上位階層及び前記下位階層により表示される文字群からいずれかの文字を候補とするときに操作される第１操作部と、前記第１操作部の操作により候補とされた文字を選択する際に操作される第２操作部と、前記文字の入力時に、前記上位階層にて前記第１操作部及び前記第２操作部の操作により選択された文字を含む文字列を前記下位階層として表示し、前記下位階層にて前記第１操作部及び前記第２操作部の操作により選択された文字を前記文字入力領域に表示させる表示制御部とを備える文字入力装置。【選択図】      図１
2011180664.tif 000002
【特許請求の範囲】
【請求項１】
入力される文字が表示される文字入力領域を備え、前記文字入力領域への文字の入力時に、ひらがな及びカタカナのいずれか一方の文字群を、上位階層及び下位階層の少なくとも２つの階層を用いて表示する表示部と、
前記上位階層及び前記下位階層により表示される文字群からいずれかの文字を候補とするときに操作される第１操作部と、
前記第１操作部の操作により候補とされた文字を選択する際に操作される第２操作部と、
前記文字の入力時に、前記上位階層にて前記第１操作部及び前記第２操作部の操作により選択された文字を含む文字列を前記下位階層として表示し、前記下位階層にて前記第１操作部及び前記第２操作部の操作により選択された文字を前記文字入力領域に表示させる表示制御部と
を備えることを特徴とする文字入力装置。
【請求項２】
請求項１に記載の文字入力装置において、
前記上位階層には、前記文字群をグループに分類したときの各グループの代表となる文字が表示されることを特徴とする文字入力装置。
【請求項３】
請求項１に記載の文字入力装置において、
前記第２操作部と異なる操作内容が割り当てられた第３操作部を備えることを特徴とする文字入力装置。
【請求項４】
請求項３に記載の文字入力装置において、
前記第２操作部と前記第３操作部には、操作内容が類似する複数の操作内容が割り当てられることを特徴とする文字入力装置。
【請求項５】
請求項４に記載の文字入力装置において、
前記第２操作部に割り当てられた操作内容は、前記下位階層へ進む、前記第１操作部の操作により候補とされた文字を選択する、であることを特徴とする文字入力装置。
【請求項６】
請求項４又は請求項５に記載の文字入力装置において、
前記第３操作部に割り当てられた操作内容は、前記上位階層へ戻る、前記文字入力領域に表示された末尾の文字を消去する、であることを特徴とする文字入力装置。
【請求項７】
請求項１に記載の文字入力装置において、
前記文字入力領域に表示された文字列からなる単語と該単語が表示された回数とを記憶する記憶部を備え、
前記表示制御部は、前記下位階層にて前記第２操作部の操作により前記単語の一文字目の文字が選択されると、前記上位階層にて前記回数が多い単語の二文字目の文字を選択することを特徴とする文字入力装置。
【請求項８】
請求項１に記載の文字入力装置において、
前記表示部は、前記文字群のうち、複数の文字を表示し、
前記表示制御部は、前記第１操作部が所定の速度以上又は所定の量以上で操作されると、現在表示されている複数の文字と異なる複数の文字を表示することを特徴とする文字入力装置。
【請求項９】
請求項１に記載の文字入力装置において、
前記表示制御部は、前記文字群を全表示するとともに、前記第１操作部の操作により現在候補とされている文字を識別可能に表示することを特徴とする文字入力装置。
【請求項１０】
請求項１に記載の文字入力装置において、
前記第１操作部は、２軸に回転可能又は変位可能である
ことを特徴とする文字入力装置。
【請求項１１】
請求項３に記載の文字入力装置において、
前記第２操作部及び前記第３操作部は、前記第１操作部が回転又は変位する方向の直交方向に配置されることを特徴とする文字入力装置。
【請求項１２】
請求項３に記載の文字入力装置において、
前記第２操作部及び前記第３操作部は、複数の段階に押下可能であり、押下量に応じて段階毎に異なる操作内容を割り当てられることを特徴とする文字入力装置。
【請求項１３】
請求項３に記載の文字入力装置において、
前記第２操作部及び前記第３操作部は、押圧力に応じて異なる操作内容を割り当てられることを特徴とする文字入力装置。
【請求項１４】
請求項３に記載の文字入力装置において、
前記第２操作部及び前記第３操作部は、前記第１操作部を中心に、指の可動範囲の中で最も負担の少ない位置に配置されることを特徴とする文字入力装置。
【請求項１５】
請求項１から請求項１４までのいずれか1項に記載の文字入力装置を備える
ことを特徴とするヘッドマウントディスプレイ装置。
【発明の詳細な説明】
【技術分野】
【０００１】
本発明は、文字を入力する文字入力装置、及びユーザの頭部に装着して、ユーザの視野に画像を表示するヘッドマウントディスプレイ装置に関する。
【背景技術】
【０００２】
従来から、ひらがな、カタカナ、漢字、数字、英字、記号などを入力する入力装置が知られている。例えば、特許文献１の入力装置は、上方向キー、下方向キー、左方向キー、右方向キー、決定キー、取消キーの６個のキーを操作することにより、文字を入力する。また、ユーザの頭部に装着して、表示される静止画や動画などを視聴するヘッドマウントディスプレイ装置が知られている。
【先行技術文献】
【特許文献】
【０００３】
【特許文献１】特許第４１３３５２３号公報
【発明の概要】
【発明が解決しようとする課題】
【０００４】
上述したヘッドマウントディスプレイ装置のようなモバイル製品は、小型のため操作キー数が限られる。その限られた操作キーで文字入力を行うと、操作が冗長的になりやすく、文字入力が気軽にできなくなる。さらに、特許文献１の入力装置をヘッドマウントディスプレイ装置に適用すると、ヘッドマウントディスプレイ装置に設けられる操作キーでは片手での操作が難しくなる。
【０００５】
そこで、本発明の文字入力装置及びヘッドマウントディスプレイ装置は、操作キーとその操作回数とを必要最低限とすることで、片手の操作による文字入力を容易にすることを目的とする。
【課題を解決するための手段】
【０００６】
本発明の文字入力装置は、入力される文字が表示される文字入力領域を備え、前記文字入力領域への文字の入力時に、ひらがな及びカタカナのいずれか一方の文字群を、上位階層及び下位階層の少なくとも２つの階層を用いて表示する表示部と、前記上位階層及び前記下位階層により表示される文字群からいずれかの文字を候補とするときに操作される第１操作部と、前記第１操作部の操作により候補とされた文字を選択する際に操作される第２操作部と、前記文字の入力時に、前記上位階層にて前記第１操作部及び前記第２操作部の操作により選択された文字を含む文字列を前記下位階層として表示し、前記下位階層にて前記第１操作部及び前記第２操作部の操作により選択された文字を前記文字入力領域に表示させる表示制御部とを備える。
【０００７】
なお、前記上位階層には、前記文字群をグループに分類したときの各グループの代表となる文字が表示されてもよい。
【０００８】
また、前記第２操作部と異なる操作内容が割り当てられた第３操作部を備えてもよい。
【０００９】
また、前記第２操作部と前記第３操作部には、操作内容が類似する複数の操作内容が割り当てられてもよい。
【００１０】
また、前記第２操作部に割り当てられた操作内容は、前記下位階層へ進む、前記第１操作部の操作により候補とされた文字を選択する、であってもよい。
【００１１】
また、前記第３操作部に割り当てられた操作内容は、前記上位階層へ戻る、前記文字入力領域に表示された末尾の文字を消去する、であってもよい。
【００１２】
また、前記文字入力領域に表示された文字列からなる単語と該単語が表示された回数とを記憶する記憶部を備え、前記表示制御部は、前記下位階層にて前記第２操作部の操作により前記単語の一文字目の文字が選択されると、前記上位階層にて前記回数が多い単語の二文字目の文字を選択してもよい。
【００１３】
また、前記表示部は、前記文字群のうち、複数の文字を表示し、前記表示制御部は、前記第１操作部が所定の速度以上又は所定の量以上で操作されると、現在表示されている複数の文字と異なる複数の文字を表示してもよい。
【００１４】
また、前記表示制御部は、前記文字群を全表示するとともに、前記第１操作部の操作により現在候補とされている文字を識別可能に表示してもよい。
【００１５】
また、前記第１操作部は、２軸に回転可能又は変位可能であってもよい。
【００１６】
また、前記第２操作部及び前記第３操作部は、前記第１操作部が回転又は変位する方向の直交方向に配置されてもよい。
【００１７】
また、前記第２操作部及び前記第３操作部は、複数の段階に押下可能であり、押下量に応じて段階毎に異なる操作内容を割り当てられてもよい。
【００１８】
また、前記第２操作部及び前記第３操作部は、押圧力に応じて異なる操作内容を割り当てられてもよい。
【００１９】
また、前記第２操作部及び前記第３操作部は、前記第１操作部を中心に、指の可動範囲の中で最も負担の少ない位置に配置されてもよい。
【００２０】
本発明のヘッドマウントディスプレイ装置は、上記に記載の文字入力装置を備える。
【発明の効果】
【００２１】
本発明によれば、操作キーとその操作回数とを必要最低限とすることで、片手の操作による文字入力を容易にすることができる。
【図面の簡単な説明】
【００２２】
【図１】第１実施形態におけるヘッドマウントディスプレイ装置１０の概要を示す図である。
【図２】第１実施形態におけるヘッドマウントディスプレイ装置１０の構成を示すブロック図である。
【図３】第１階層に登録された文字と第２階層に登録された文字とを示す図である。
【図４】（Ａ）文字入力画面の例を示す図である。（Ｂ）領域３２に表示される文字又は項目をグループ毎に分類した図である。（Ｃ）領域３２で「あ」が選択された場合に、領域３３に表示される文字をグループ毎に分類した図である。
【図５】（Ａ）「に」を入力する際の文字入力画面の例を示す図である。（Ｂ）「こ」を入力する際の文字入力画面の例を示す図である。
【図６】領域３２で「Ｆｎ」、領域３３で「全消去」が選択された場合の例を示す図である。
【図７】（Ａ）領域３２で「かな／英」が選択された場合の領域３３の例を示す図である。（Ｂ）領域３２で「ア」が選択された場合の領域３３の例を示す図である。（Ｃ）領域３２で「ＡＢＣ」が選択された場合の領域３３の例を示す図である。（Ｄ）領域３２で「＋−×÷」が選択された場合の領域３３の例を示す図である。
【図８】かな漢字変換画面の例を示す図である。
【図９】第２実施形態における操作部１６を示す図である。
【図１０】第５実施形態における文字入力画面の例を示す図である。
【図１１】（Ａ）回転する円上に表示する例を示す図である。（Ｂ）半透明による積層表示の例を示す図である。（Ｃ）スクロールバー６０を表示する例を示す図である。（Ｄ）表示順を表示する例を示す図である。
【図１２】（Ａ）ジョグダイアル２０と、右キー２１又は左キー２２とを同時操作する場合の右キー２１、左キー２２を示す図である。（Ｂ）ジョグダイアル２０と、右キー２１又は左キー２２とを同時操作する場合の右キー２１、左キー２２を示す図である。（Ｃ）ジョグダイアル２０と上キー２３とを同時操作する場合の上キー２３を示す図である。
【発明を実施するための形態】
【００２３】
（第１実施形態）
以下、図面を用いて本発明の第１実施形態について説明する。図１は、第１実施形態におけるヘッドマウントディスプレイ装置１０の概要を示す図である。図１に示すように、ヘッドマウントディスプレイ装置１０は、湾曲形状からなる伸縮自在のバンド１１と、バンド１１の両端に設けられる耳当て部１２、１３とを備えている。なお、バンド１１を湾曲形状とすることで、ヘッドマウントディスプレイ装置１０をユーザの頭部に装着したときに、バンド１１の付勢力によって耳当て部１２、１３がユーザの耳部にそれぞれ当接される。耳当て部１２、１３には、それぞれ不図示のスピーカが内蔵され、後述する表示部１５の表示に合わせて音声が出力される。
【００２４】
耳当て部１２には、支持アーム１４が装着時の左右方向を回転軸として回動可能に取り付けられており、その先端部には、表示部１５が取り付けられている。表示部１５は、不図示の表示素子や拡大光学系を備え、各種の画像を表示する。表示部１５に表示される各種の画像は、後述する記憶部１７に記憶した画像、メニュー画面、文字入力画面等である。
【００２５】
耳当て部１３には、操作部１６が取り付けられている。操作部１６は、ジョグダイアル２０、右キー２１、左キー２２、上キー２３、下キー２４等を備える。ジョグダイアル２０は、回転可能である。右キー２１、左キー２２、上キー２３、下キー２４は、押下可能である。
【００２６】
図２は、ヘッドマウントディスプレイ装置１０の構成を示すブロック図である。図２に示すように、ヘッドマウントディスプレイ装置１０は、表示部１５、操作部１６、記憶部１７、通信部１８、制御部１９を備える。
【００２７】
操作部１６は、上述したように、ジョグダイアル２０、右キー２１、左キー２２、上キー２３、下キー２４等を備える。例えば、ジョグダイアル２０は、メニュー画面や文字入力画面に表示された選択候補を変更する際等に回転される。右キー２１は、選択候補として表示された文字や項目を選択する際等に押下される。左キー２２は、前の画面に戻る際等に押下される。また、上キー２３は、記憶部１７に記憶した画像等を再生する際等に押下される。また、下キー２４は、メニュー画面を表示する際等に押下される。なお、操作部１６の状態は制御部１９により検知され、検知されたジョグダイアル２０やキーの状態に基づいたシーケンスが実行される。
【００２８】
記憶部１７は、静止画及び動画などの画像データや、音声データからなるコンテンツデータを記憶している。また、記憶部１７は、ひらがな又はカタカナの文字列からなる単語と、該単語を漢字に変換した場合の変換候補（以下、変換語と称する）とを対応付けて記憶している。なお、この記憶部１７は、ヘッドマウントディスプレイ装置１０に内蔵されていても、ヘッドマウントディスプレイ装置１０に対して着脱自在であってもよい。通信部１８は、無線又は有線でパソコンや、インターネット、外部再生機器等と接続可能である。
【００２９】
記憶部１７には、図３に示す階層構造でひらがなやカタカナ等の文字データが予め記憶されている。ひらがなとカタカナとの階層構造は同じであるため、以下、ひらがなの文字データについて説明する。図３に示すように、第１階層には、５０音図の各行の第１段（あ、か、さ、た、な、は、ま、や、ら、わ）が登録されている。第２階層には、５０音図の各行の第１段から第５段の清音、濁音、半濁音、拗音が登録されている。図３に示すように、第１階層の「あ」と、第２階層の「あ」、「い」、「う」、「え」、「お」、「ぁ」、「ぃ」、「ぅ」、「ぇ」、「ぉ」とは、対応付けて記憶されている。また、第１階層の「か」と、第２階層の「か」、「き」、「く」、「け」、「こ」、「が」、「ぎ」、「ぐ」、「げ」、「ご」とは、対応付けて記憶されている。
【００３０】
制御部１９は、ヘッドマウントディスプレイ装置１０の各部を統括的に制御する。以下、各部の制御については省略し、文字入力時の処理のみ記載する。
【００３１】
このヘッドマウントディスプレイ装置１０は、複数の動作モードを備える。動作モードには、各種設定を行う「設定モード」、画像及び音声の再生を行う「画像モード」、音声の再生のみを行う「音声モード」、インターネット通信などを行う「インターネットモード」等が含まれる。動作モードの選択は、操作部１６を介したユーザの操作に基づいて行われる。
【００３２】
また、ヘッドマウントディスプレイ装置１０は、ひらがな、カタカナ、英字、数字、記号等の文字を入力する機能を備えている。この文字を入力する機能は、例えば、インターネットモードにおける検索キーワードの入力や、電子メールの作成、設定モードにおけるパスワードの入力時に有効となる。この第１実施形態では、ジョグダイアル２０、右キー２１、左キー２２のみを操作することにより、文字を入力する例を示す。
【００３３】
次に、文字入力画面について説明する。図４（Ａ）に示すように、文字入力画面には、入力した文字を表示する文字入力領域３０が設けられる。この文字入力領域３０には、現在の入力位置を示すカーソルが設けられており、このカーソル３１を図中左方、又は右方に移動させることで、入力する文字の位置を指定することができる。また、この文字入力画面には、第１階層の文字等を表示する領域３２、第２階層の文字等を表示する領域３３、文字の種類を示す入力文字種を表示する領域３４の他、操作方法説明図３５が表示される。また、文字入力画面には、領域３２に表示された文字等の選択候補を表示する枠３６、領域３３に表示された文字等の選択候補を表示する枠３７、現在の入力文字種を示す枠３８が表示される。
【００３４】
領域３２は、第１階層となる文字等を表示する領域である。上述したように、文字データは、第１階層及び第２階層からなる階層構造にて記憶されている。このため、領域３２においては、第１階層となる、５０音図の各行の第１段（あ、か、さ、た、な、は、ま、や、ら、わ）が表示される。また、この他に、句読点を示す項目「、 。」、使用頻度が高い機能を示す項目が表示される。使用頻度が高い機能を示す項目としては、ファンクションキーの機能を示す「Ｆｎ」、入力文字種を変更する「かな／英」、１文字分の空白を示す「空白」、選択された文字や項目を決定する「決定」、バックスペースキーの機能を示す「ＢＳ」、入力された文字を漢字に変換する「変換」が挙げられる。なお、符号３６は、領域３２に表示される第１階層となる文字又は項目のうち、現在の選択候補をユーザに視認させるための枠である。
【００３５】
図４（Ｂ）に示すように、領域３２に表示される文字又は項目は、グループに分類され、グループ毎に順次表示される。例えば「あ」から「は」はグループ１００に属し、「ま」から「Ｆｎ」はグループ１０１に属し、「かな／英」から「変換」はグループ１０２に属する。この場合、ジョグダイアル２０の操作によって、領域３２の表示は、グループ１００、グループ１０１、グループ１０２の順に切り替わる。
【００３６】
領域３３は、第２階層となる文字等を表示する領域である。この領域３３には、第１階層により選択された文字に関連付けられた文字が表示される。第１階層において、例えば「あ」が選択されている場合には、「あ」に関連付けられた文字「あ」、「い」、「う」、「え」、「お」、「ぁ」が表示される。また、第１階層においては、句読点を示す項目「、 。」、使用頻度が高い機能を示す項目も含まれることから、この領域には、これら項目に関連付けられた項目が表示される。なお、符号３７は、領域３３に表示される第２階層となる文字又は項目のうち、現在の選択候補をユーザに視認させるための枠である。
【００３７】
この領域３３に表示される文字又は項目も複数のグループに分類され、グループ毎に順次表示される。図４（Ｃ）に示すように、「あ」から「ぁ」はグループ２００に属し、「ぃ」から「ぉ」はグループ２０１に属する。この場合、ジョグダイアル２０の操作によって、領域３３の表示は、グループ２００、グループ２０１の順に切り替わる。
【００３８】
領域３４は、入力する文字の種類を表示する。文字の種類としては、ひらがな、全角カタカナ、半角カタカナ、全角英字、半角英字、ＷＥＢ用の定型文、全角記号や半角記号などが挙げられる。なお、領域３４においては、例えば、ひらがなは「あ」、全角カタカナは「ア」、半角カタカナは「ア」でそれぞれ表示される。また、全角英字は「Ａ」、半角英字は「A」で表示される。また、全角数字は「１」、半角数字は「1」、ＷＥＢ用の定型文は「ＵＲＬ」、全角記号や半角記号は「記」でそれぞれ表示される。文字入力画面の初期状態では、ひらがなを入力するように設定されているため、現在の入力文字種を示す枠３８は、「あ」に付されている。
【００３９】
操作方法説明図３５は、ジョグダイアル２０、右キー２１、左キー２２の操作内容を表示する。例えば、説明３９は、ジョグダイアル２０上で指を上方向に移動させると、枠３６又は枠３７を上に移動させることを示す。説明４０は、ジョグダイアル２０上で指を下方向に移動させると、枠３６又は枠３７を下に移動させることを示す。説明４１は、右キー２１を押下すると、枠３６又は枠３７が選択候補として表示した文字又は項目を選択することを示す。また、説明４２は、左キー２２を押下すると、カーソル３１の左隣に位置する文字を消去することを示す。
【００４０】
次に、文字入力の具体例について説明する。制御部１９は、ジョグダイアル２０の回転方向及び回転量に応じて、１文字又は１項目分ずつ枠３６を移動させ、枠３６に表示された選択候補を変更する。ジョグダイアル２０の上方向又は下方向への回転は、枠３６の上方向又は下方向への移動を示し、ジョグダイアルの回転量は、枠３６の移動量を示す。
【００４１】
例えば、「にこん」と入力する場合を説明する。制御部１９は、枠３６が「な」を表示している状態で、右キー２１が押下されたことを検知すると、第２階層に登録された文字のうち、な行に包含される「な」、「に」、「ぬ」、「ね」、「の」を選択対象として領域３３に表示する。そして、制御部１９は、ジョグダイアル２０の回転方向及び回転量に応じて、１文字又は１項目分ずつ枠３７を移動させ、枠３７に表示された選択候補を変更する。制御部１９は、枠３７が「に」を表示している状態で、右キー２１が押下されたことを検知すると、「に」を文字入力領域３０に表示し、カーソル３１を「に」の右隣に移動させる（図５（Ａ）参照）。そして、制御部１９は、領域３２及び領域３３の表示を初期状態に戻す。ユーザは、同様の処理を繰り返し、「こ」と「ん」とを入力する。図５（Ｂ）は、「こ」を入力する際の文字入力画面の例を示す図である。
【００４２】
このように、領域３２に表示される文字又は項目の選択と、領域３３に表示される文字又は項目の選択とは、交互に行われる。すなわち、制御部１９は、領域３２、領域３３のいずれかを、文字又は項目の選択が可能なアクティブな領域とする。また、制御部１９は、アクティブな領域を、色や明暗等の変化を用いて識別可能に表示する。例えば、制御部１９は、領域３２がアクティブな領域である場合、領域３２に表示される文字や項目、枠３６を拡大して表示する、或いは太く表示するとともに、領域３３に表示される文字や項目、枠３７を半透明に表示する。
【００４３】
また、制御部１９は、領域３２がアクティブな領域である場合、ジョグダイアル２０の回転方向及び回転量に応じて、領域３２に表示するグループを以下のように切り替える。例えば、制御部１９は、枠３６により各グループの最初の文字又は項目が表示されている際に、ジョグダイアル２０が上方向に回転された場合、表示順が１つ前のグループに属する文字又は項目を表示する。一方、制御部１９は、枠３６により各グループの最後の文字又は項目が表示されている際に、ジョグダイアル２０が下方向に回転された場合、表示順が１つ後のグループに属する文字又は項目を表示する。また、領域３３がアクティブな領域である場合のグループの切り替えについても、同様とする。
【００４４】
次に、入力した文字を消去する例を示す。図６に示すように、制御部１９は、「にこん」と入力した後、領域３２で「Ｆｎ」が選択された場合、「Ｆｎ」に対応する下位階層の項目を領域３３に表示する。例えば、「Ｆｎ」に対応する下位階層の項目は、デリートキーの機能を示す「Ｄｅｌ」、文字入力領域３０に表示した文字を全消去する「全消去」、カーソル３１を先頭に移動させる「先頭」、カーソル３１を末尾に移動させる「末尾」である。そして、制御部１９は、領域３３で「全消去」が選択された場合、文字入力領域３０に表示された文字を全消去し、領域３２及び領域３３の表示を初期状態に戻す。なお、これに限らず、制御部１９は、左キー２２が押下されたことを検知すると、文字入力領域３０内のカーソル３１の左隣に位置する文字を１文字ずつ消去することができる。
【００４５】
次に、入力する文字の種類を変更する例を示す。図７（Ａ）に示すように、制御部１９は、領域３２で「かな／英」が選択された場合、「かな／英」に対応する下位階層の項目を領域３３に表示する。例えば、「かな／英」に対応する下位階層の項目は、文字の種類を示す「ひらがな」、「全角カタカナ」、「半角カタカナ」、「全角英字」、「半角英字」、「全角数字」、「半角数字」、「定型文」「全角記号」、「半角記号」である。
【００４６】
例えば、制御部１９は、領域３３で「全角カタカナ」が選択された場合、「ア」、「カ」、「サ」、「タ」、「ナ」、「ハ」を領域３２に表示する。図７（Ｂ）に示すように、制御部１９は、「ア」が選択された場合、「ア」、「イ」、「ウ」、「エ」、「オ」、「ァ」を領域３３に表示する。
【００４７】
また、制御部１９は、領域３３で「全角英字」が選択された場合、全角の英字をアルファベット順に３文字ずつグループ化した項目（「ＡＢＣ」、「ＤＥＦ」、「ＧＨＩ」等）を領域３２に表示する。その後、制御部１９は、いずれかの項目が選択されると、該項目にグループ化された個々のアルファベットを領域３３に表示する。図７（Ｃ）は、領域３２で「ＡＢＣ」が選択された場合の領域３３の例を示す。なお、「半角英字」、「全角数字」、「半角数字」が選択された場合も同様とする。
【００４８】
また、制御部１９は、領域３３で「全角記号」が選択された場合、全角記号を４つずつグループ化した項目（「＋−×÷」、「＝≠≒♯」、「＜≦＞≧」等）を領域３２に表示する。そして、制御部１９は、いずれかの項目が選択されると、該項目にグループ化された個々の記号を領域３３に表示する。図７（Ｄ）は、領域３２で「＋−×÷」が選択された場合の領域３３の例を示す。なお、「半角記号」が選択された場合も同様とする。
【００４９】
また、制御部１９は、領域３３で「定型文」が選択された場合、定型文をグループ化した項目（「co.jp、http、www」、「com、html、net」等）を領域３２に表示する。そして、制御部１９は、いずれかの項目が選択されると、該項目にグループ化された個々の定型文を領域３３に表示する。
【００５０】
次に、入力した文字を漢字に変換する例を示す。制御部１９は、文字入力領域３０に文字が表示されている状態において、領域３２で「変換」が選択された場合、文字入力画面から、かな漢字変換画面に表示部１５の表示を切り替える。かな漢字変換画面の例を図８に示す。図８に示すように、かな漢字変換画面には、文字入力領域３０、カーソル３１、変換語を表示する一覧４３、一覧４３に表示された変換語の選択候補を表示する枠４４、操作方法説明図３５が表示される。
【００５１】
例えば、制御部１９は、文字入力領域３０に「にこ」が表示されている状態において、領域３２で「変換」が選択された場合、「にこ」に対応する変換語を記憶部１７から読み出す。そして、図８に示すように、制御部１９は、読み出した変換語（「二個」、「２個」、「2個」、「二胡」、「二戸」等）を一覧４３に表示する。なお、変換語が多く、一覧４３に一度に表示しきれない場合、制御部１９は、変換語をグループに分類し、ジョグダイアル２０の回転方向及び回転量に応じて、一覧４３に表示するグループを切り替える。
【００５２】
操作方法説明図３５は、かな漢字変換画面における、ジョグダイアル２０、右キー２１、左キー２２の操作内容を表示する。例えば、説明３９は、ジョグダイアル２０上で指を上方向に移動させると、枠４４を上に移動させることを示す。説明４０は、ジョグダイアル２０上で指を下方向に移動させると、枠４４を下に移動させることを示す。説明４１は、右キー２１を押下すると、枠４４が選択候補として表示した変換語を選択することを示す。また、説明４２は、左キー２２を押下すると、選択した変換語をキャンセルすることを示す。
【００５３】
制御部１９は、ジョグダイアル２０の回転方向及び回転量に応じて、変換語１つ分ずつ枠４４を移動させ、枠４４に表示された選択項目を変更する。例えば、制御部１９は、枠４４が「二個」を表示している状態で、右キー２１が押下されたことを検知すると、「にこ」の漢字変換として「二個」を選択する。そして、制御部１９は、「二個」を文字入力領域３０に表示する。
【００５４】
以上説明したように、第１実施形態のヘッドマウントディスプレイ装置１０は、ジョグダイアル２０、右キー２１、左キー２２のみを操作することにより、文字を入力する。したがって、ユーザは、ヘッドマウントディスプレイ装置１０を頭部に装着し、操作部１６を見ることができない場合でも、片手で簡単に文字を入力することができる。
【００５５】
また、ヘッドマウントディスプレイ装置１０は、入力画面に操作方法説明図３５を表示する。そのため、ユーザは、混乱することなく文字を入力することができる。さらに、ヘッドマウントディスプレイ装置１０は、ジョグダイアル２０の回転方向と直交方向に、右キー２１及び左キー２２を配置する。これにより、ユーザが指を動かしやすくなるので、より簡単な操作で文字を入力することができる。
（第２実施形態）
第１実施形態では、ジョグダイアル２０と、右キー２１、左キー２２を用いて文字を入力する例を示した。第２実施形態では、ジョイスティックを用いて文字を入力する例を示す。ここで、第２実施形態におけるヘッドマウントディスプレイ装置の構成は、図２に示す第１実施形態のヘッドマウントディスプレイ装置１０と共通するので重複説明は省略する。
【００５６】
図９は、第２実施形態における操作部１６を示す図である。操作部１６は、上下方向及び左右方向に傾斜可能なジョイスティック５０を備える。このジョイスティック５０の上方又は下方向の傾斜は、それぞれ第１実施形態におけるジョグダイアル２０の上方向又は下方向の回転に対応する。例えば、制御部１９は、上述した文字入力画面において、ジョイスティック５０が上方向に傾斜されたことを検知すると、枠３６又は枠３７を上に移動させる。一方、制御部１９は、ジョイスティック５０が下方向に傾斜されたことを検知すると、枠３６又は枠３７を上に移動させる。
【００５７】
また、ジョイスティック５０の右方向又は左方向の傾斜は、それぞれ第１実施形態における右キー２１又は左キー２２の押下に対応する。例えば、制御部１９は、上述した文字入力画面において、ジョイスティック５０が右方向に傾斜されたことを検知すると、枠３６又は枠３７が選択候補として表示した文字又は項目を選択する。一方、制御部１９は、ジョイスティック５０が左方向に傾斜されたことを検知すると、カーソル３１の左隣に位置する文字を消去する。
【００５８】
したがって、第２実施形態のヘッドマウントディスプレイ装置１０によれば、ジョイスティック５０のみで文字を入力することができ、第１実施形態と同様の効果を得ることができる。
（第３実施形態）
第１実施形態では、右キー２１の操作内容に「入力文字の選択」「変換語の選択」、左キー２２の操作内容に「入力文字の消去」「変換語のキャンセル」を割り当て、制御部１９がアクティブな領域を切り替える例を示した。第３実施形態では、右キー２１の操作内容に「下位階層へ進む」、「入力文字の選択」、「変換語の選択」の操作内容を割り当て、左キー２２の操作内容に「上位階層へ戻る」、「入力文字の消去」、「変換語のキャンセル」を割り当てる。そして、制御部１９はアクティブな領域に応じて、右キー２１、左キー２２に割り当てる操作内容を変更する例を示す。
【００５９】
例えば、制御部１９は、領域３２がアクティブな領域である際に、右キー２１が押下されたことを検知すると、枠３６が選択候補として表示した文字又は項目を選択するとともに、領域３３をアクティブな領域に切り替える。これにより、ユーザは、領域３２、すなわち上位階層での文字又は項目の選択に進むことができる。そして、制御部１９は、領域３３がアクティブな領域である際に、右キー２１が押下されたことを検知すると、枠３７が選択候補として表示した文字又は項目を選択し、文字が選択された場合は、該文字を文字入力領域３０に表示する。その後、制御部１９は、左キー２２が押下されたことを検知すると、文字入力領域３０に表示された文字のうち、末尾の文字を消去する。
【００６０】
一方、制御部１９は、領域３３がアクティブな領域である際に、左キー２２が押下されたことを検知すると、領域３２をアクティブな領域に切り替える。これにより、ユーザは、領域３３、すなわち下位階層での文字又は項目の選択に戻ることができる。
【００６１】
なお、右キー２１に割り当てられた操作内容の「変換語の選択」、左キー２２に割り当てられた「変換語のキャンセル」は、第１実施形態と同様とする。
【００６２】
したがって、第３実施形態のヘッドマウントディスプレイ装置１０は、複数の操作内容を右キー２１、左キー２２に割り当てるので、操作キーが少なくて済み、簡単な操作で文字を入力することができる。
（第４実施形態）
第１実施形態では、１文字を入力する毎に、領域３２及び領域３３の表示を初期状態に戻す例を示した。第４実施形態では、入力した文字列からなる単語の履歴を記憶部１７に記憶する。そして、入力回数の多い単語から予測して、次の文字の候補となる文字に自動的に枠３６又は枠３７を移動させる例を示す。
【００６３】
例えば、「にこん」と入力する回数が多い場合を例に挙げて説明する。制御部１９は、１文字目で「に」が入力された場合、領域３２で「か」を選択候補として表示するように、枠３６を移動させる。そして、制御部１９は、領域３２で「か」が選択されると、領域３３で「こ」を選択候補として表示するように、枠３７を移動させる。
【００６４】
なお、予測できる履歴がない場合、制御部１９は、領域３２の表示を初期状態に戻してもよいし、連続して同じ文字を入力できるようにしてもよい。例えば、連続して同じ文字を入力できるようにする場合、制御部１９は、１文字目で「に」が入力された場合、２文字目でも「に」が入力できるように、枠３６及び枠３７を移動させる。
【００６５】
したがって、第４実施形態のヘッドマウントディスプレイ装置１０は、入力した文字列からなる単語の履歴を記憶し、枠３６又は枠３７を自動的に移動させるので、操作回数が少なくて済み、簡単な操作で文字を入力することができる。
【００６６】
なお、第４実施形態では、枠３６又は枠３７を自動的に移動させる例を示したが、これに限らない。例えば、入力回数が多い単語の一文字目が入力された場合、その単語の一覧を入力候補として表示してもよい。
（第５実施形態）
第１実施形態では、ジョグダイアル２０の回転方向及び回転量に応じて領域３２又は領域３３の表示を変更する例を示した。第５実施形態では、ジョグダイアル２０の回転方向及び回転量だけでなく、回転速度にも応じて領域３２又は領域３３の表示を変更する例を示す。
【００６７】
例えば、制御部１９は、ジョグダイアル２０の回転速度が所定の速度以上であるか否かを判定し、所定の速度以上であると判定した場合には、回転方向及び回転量に応じて、現在表示されているグループの表示順が１つ前のグループ、又は１つ後のグループを表示する。一方、制御部１９は、所定の速度よりも小さいと判定した場合には、第１実施形態と同様の処理を行う。
【００６８】
図１０に示すように、制御部１９は、領域３２がアクティブな領域であり、枠３６が「あ」を選択候補として表示している状態で、ジョグダイアル２０が所定の速度以上で下方向に回転したことを検知すると、表示順が１つ後のグループ１０１に属する文字を領域３２に表示する。一方、制御部１９は、領域３２がアクティブな領域であり、枠３６が「あ」を選択候補として表示している状態で、ジョグダイアル２０が所定の速度以上で上方向に回転したことを検知すると、表示順が１つ前のグループ１０３に属する項目を領域３２に表示する。なお、領域３３がアクティブな領域である場合についても、同様とする。
【００６９】
したがって、第５実施形態のヘッドマウントディスプレイ装置１０は、ジョグダイアル２０の回転速度に応じて、表示を変更するので、操作回数が少なくて済み、より簡単な操作で文字を入力することができる。
（第６実施形態）
第１実施形態では、領域３２及び領域３３に表示される文字又は項目は、グループ毎に順次表示される例を示した。第６実施形態では、領域３２及び領域３３に表示される文字又は項目を全て表示する例、表示全体における枠３６又は枠３７の位置を表示する例を示す。
【００７０】
まず、領域３２及び領域３３に表示される文字又は項目を全て表示する例を示す。図１１（Ａ）は、領域３２及び領域３３に表示される文字又は項目を回転する円上に表示する例を示す図である。領域３２、領域３３、枠３６、枠３７は、第１実施形態と同様である。なお、制御部１９は、枠３６がグループ１００に属する「は」を選択候補として表示している状態でジョグダイアル２０が下方向に回転された場合、後のグループ１０１に属する「ま」から「Ｆｎ」を上方向に移動させ、図１１（Ａ）の「あ」から「は」の位置に表示させてもよい。また、領域３３についても同様とする。
【００７１】
図１１（Ｂ）は、半透明による積層表示の例を示す図である。例えば、制御部１９は、グループ１００、グループ１０１、グループ１０２に属する文字又は項目を、領域３２、領域３２’、領域３２’’にそれぞれ表示する。また、制御部１９は、領域３２で「あ」が選択された場合に、グループ２００に属する文字を領域３３に表示し、グループ２０１に属する文字を領域３３’に表示する。このとき、領域３２と領域３２’と領域３２’’とは積層表示される。また、領域３３と領域３３’とは積層表示される。また、制御部１９は、最前面にアクティブな領域を透過させずに表示し、その背面に他の領域を半透明に表示する。
【００７２】
次に、表示全体における枠３６又は枠３７の位置を表示する例を示す。図１１（Ｃ）は、スクロールバー６０を表示する例を示す図である。制御部１９は、領域３２がアクティブな領域である場合、領域３２に表示される文字又は項目全体における現在の枠３６の位置をスクロールバー６０で表示する。また、制御部１９は、領域３３がアクティブな領域である場合、領域３３に表示される文字又は項目全体における現在の枠３７の位置をスクロールバー６０で表示する。
【００７３】
図１１（Ｄ）は、表示順を表示する例を示す図である。制御部１９は、領域３２がアクティブな領域である場合、領域３２に表示される文字及び項目を合計した数を分母、それぞれの文字又は項目が上から何番目に表示されているかを示す数を分子とする値を領域３２の左隣に表示する。また、制御部１９は、領域３３がアクティブな領域である場合、領域３３に表示される文字及び項目を合計した数を分母、それぞれの文字又は項目が上から何番目に表示されているかを示す数を分子とする値を領域３２の左隣に表示する。図１１（Ｄ）に示すように、領域３２がアクティブな領域である場合、制御部１９は、「あ」の左隣に「１／１７」という値６１を表示する。
【００７４】
第６実施形態のヘッドマウントディスプレイ装置１０は、領域３２及び領域３３に表示される文字又は項目を全て表示するか、表示全体における枠３６又は枠３７の位置を表示する。これにより、ユーザは、表示全体における枠３６又は枠３７の位置を認識することができる。
（第７実施形態）
第１実施形態では、右キー２１、左キー２２の押下量に拘わらず、操作内容を割り当てる例を示した。第７実施形態では、右キー２１、左キー２２は、２段階に押下可能であり、アクティブな領域に応じて各段階に割り当てる操作内容を変更する例を示す。
【００７５】
例えば、文字入力画面で「にこん」と入力した場合、文字入力領域３０に「にこん」と表示され、「ん」の右隣にカーソル３１が表示される。この状態で、制御部１９は、右キー２１の半押しを検知すると、１文字分右にカーソル３１の位置を移動させ、文節長を長くする。一方、制御部１９は、左キー２２の半押しを検知すると、１文字分左にカーソル３１の位置を移動させ、文節長を短くする。これにより、移動後のカーソル３１の位置に応じて、文字の追加入力や、文字の消去が可能となる。また、かな漢字変換画面で、文字入力領域３０に表示された文字のうち、漢字に変換する文字をカーソル３１の位置で区切るようにしてもよい。
【００７６】
なお、右キー２１の全押しによる「入力文字の選択」、及び左キー２２の全押しによる「入力文字の消去」については、第１実施形態と同様とする。
【００７７】
また、上記の例に限らず、右キー２１、左キー２２が圧力の大きさを感知できる圧力センサにより構成される場合は、圧力の大きさに応じて、異なる操作内容を割り当ててもよい。
【００７８】
したがって、第７実施形態のヘッドマウントディスプレイ装置１０は、キーの押下量又は押圧力に応じて異なる操作内容を割り当てるので、操作キーが少なくて済み、簡単な操作で文字を入力することができる。
【００７９】
なお、第１実施形態から第７実施形態では、ジョグダイアル２０、右キー２１、左キー２２、上キー２３、下キー２４を交互に操作する例を示したが、各キーに割り当てられた操作内容によっては、これらのキーを同時に操作する場合が考えられる。この場合、ジョグダイアル２０、右キー２１、左キー２２、上キー２３、下キー２４の位置を以下のように変更する。
【００８０】
図１２（Ａ）は、ジョグダイアル２０と、右キー２１又は左キー２２とを同時操作する場合の右キー２１、左キー２２を示す図である。なお、上キー２３、下キー２４は、図１と同様であるため、不図示である。この場合、人差し指でジョグダイアル２０を操作し、親指で左キー２２、中指で右キー２１を操作するケースが多いと想定される。そのため、図１２（Ａ）に示すように、右キー２１と左キー２２との中央付近であって、右キー２１及び左キー２２のユーザ操作可能な部分と、ジョグダイアル２０のユーザ操作可能な部分とが直交するようにジョグダイアル２０を配置する。
【００８１】
なお、図１２（Ｂ）に示すように、右キー２１と左キー２２との中央付近であって、右キー２１及び左キー２２のユーザ操作可能な部分と、ジョグダイアル２０のユーザ操作可能な部分とが平行するようにジョグダイアル２０を配置してもよい。
【００８２】
図１２（Ｃ）は、ジョグダイアル２０と、上キー２３とを同時操作する場合の上キー２３を示す図である。なお、右キー２１、左キー２２、下キー２４は、図１と同様であるため、不図示である。この場合、親指でジョグダイアル２０を操作し、人差し指で上キー２３を操作するケースが多いと想定されるため、ジョグダイアル２０よりも少なくとも５ｃｍ以上離した位置に上キー２３を配置する。
【００８３】
なお、第１実施形態から第７実施形態では、ユーザは操作部１６を見ることができないため、操作方法説明図３５において、現在操作されているジョグダイアルやキーを、ハイライト表示する等、識別可能に表示してもよい。
【００８４】
また、第１実施形態、第３実施形態から第７実施形態では、１軸に変位可能なキーとして、ユーザが指を上下方向に移動させるジョグダイアル２０を用いる例を示したが、これに限らない。例えば、ユーザが指を左右方向に移動させるジョグダイアル２０を用いてもよい。この場合、ジョグダイアルの上に配置されるキーの操作内容に右キー２１の操作内容を割り当て、ジョグダイアルの下に配置されるキーの操作内容に左キー２２の操作内容を割り当てる。
【００８５】
また、第１実施形態、第３実施形態から第７実施形態では、１軸に変位可能なスライダーバーを用いてもよい。この場合、スライダーバーの移動方向と直交方向に右キー２１及び左キー２２を配置する。また、第５実施形態において、ジョグダイアル２０の回転速度は、スライダーバーの移動量に対応する。例えば、制御部１９は、領域３２がアクティブな領域であり、枠３６が「あ」を選択候補として表示している状態で、スライダーバーが所定の量以上で下方向にスライドされたことを検知すると、表示順が１つ後のグループ１０１に属する文字を領域３２に表示する。
【００８６】
また、第２実施形態では、ジョイスティック５０の例を示したが、２軸に変位可能なスライダーバーや、２軸に変位可能なトラックボールを用いてもよい。
【００８７】
また、第１実施形態から第７実施形態では、操作部１６をジョグダイアルやキーにより構成する例を示したが、パネル表面での指（又はスタイラス等）の接触位置を検出するタッチパネルにより構成してもよい。なお、タッチパネルには、静電気による電気信号を感知する静電容量式のパネルを用いてもよいし、圧力による電圧の変化を検知する抵抗膜式のパネルを用いてもよい。また、この場合、ユーザが操作しやすいように、操作方法説明図３５において、現在接触されている箇所を、ハイライト表示する等、識別可能に表示してもよい。
【００８８】
また、第１実施形態から第７実施形態では、領域３２で「変換」が選択されたことを検知すると、かな漢字変換画面に切り替える例を示したが、これに限らない。例えば、下キー２４の操作内容に「変換」を割り当て、制御部１９は、下キー２４が押下されたことを検知すると、かな漢字変換画面に切り替えてもよい。
【００８９】
また、第１実施形態から第７実施形態では、領域３２及び領域３３に表示される文字又は項目は、グループ毎に順次表示される例を示したが、これに限らない。例えば、ジョグダイアル２０の回転方向及び回転量、又はジョイスティック５０の傾斜方向に応じて、領域３２又は領域３３に表示する文字又は項目を１つずつずらしてもよい。
【００９０】
また、第１実施形態から第７実施形態で示した文字入力画面及びかな漢字変換画面は一例であり、限定されない。例えば、文字入力画面の領域３２において、ユーザが濁音や半濁音を入力できることを認識しやすいように「か」を「か（が）」、「は」を「は（ば、ぱ）」等と表示してもよい。
【００９１】
また、第１実施形態から第７実施形態で示した入力文字の種類は一例であり、限定されない。例えば、半角のひらがなを入力できるようにしてもよい。
【００９２】
また、第１実施形態及び第２実施形態では、ヘッドマウントディスプレイ装置１０を例に挙げて説明したが、これに限らない。例えば、本実施形態では、ユーザの右眼の眼前で画像を結像する表示部１５としているが、ユーザの両眼の眼前で画像を結像する表示部１５であってもよい。また、図２に示した以外の構成を有するヘッドマウントディスプレイ装置にも本発明を同様に適用することができる。また、携帯電話、ＰＤＡ(Personal Digital Assistant)、ＭＩＤ（Mobile Internet Device）、デジタルカメラなどの文字入力装置にも本発明を同様に適用することができる。さらに、図２に示す機能をプログラムとしてコンピュータ読み取り可能な記録媒体に記録し、該プログラムをコンピュータにて実行するようにしてもよい。
【符号の説明】
【００９３】
１０…ヘッドマウントディスプレイ装置、１５…表示部、１６…操作部、２０…ジョグダイアル、２１…右キー、２２…左キー
【図１】
2011180664.tif 000003
【図２】
2011180664.tif 000004
【図３】
2011180664.tif 000005
【図４】
2011180664.tif 000006
【図５】
2011180664.tif 000007
【図６】
2011180664.tif 000008
【図７】
2011180664.tif 000009
【図８】
2011180664.tif 000010
【図９】
2011180664.tif 000011
【図１０】
2011180664.tif 000012
【図１１】
2011180664.tif 000013
【図１２】
2011180664.tif 000014